(57)【要約】【課題】洗面所やトイレ等にて使用される、手に付着した水分を強風にて吹き飛ばす手乾燥装置において、手を挿入していない部分のノズルから送出される空気を無駄にせず、効率的な乾燥ができる手乾燥装置を提供することを目的とする。【解決手段】本体内部に設けた送風手段２と、前記送風手段２に接続した送風路３と、前記送風路３に接続した送出ノズル部４と、前記送出ノズル部４に設けた風向変更部５と、前記送出ノズル部４の前方に設けた手挿入部６と、手の位置を検知する手位置検知手段７と、前記風向変更部４を動作させる制御部８からなる構成において、手挿入部６に手が挿入された場合に、手位置検知手段７により検出された手の位置方向に、制御部８により風向変更部５を動作させ、送風手段２を動作することにより送出ノズル部４から送出される空気を手に当てることにより乾燥効率の良い手乾燥装置１が得られる。【選択図】図１
2008113925.tif 000002
【特許請求の範囲】
【請求項１】
本体内部に設けた送風手段と、前記送風手段に接続した送風路と、前記送風路に接続した送出ノズル部と、前記送出ノズル部に設けた風向変更部と、前記送出ノズル部前方に設けた手挿入部と、前記手挿入部に手が挿入された場合に手の位置を検知する手位置検知手段と、前記風向変更部を動作させる制御部を設けた手乾燥装置において、前記手挿入部に手が挿入された時に、前記手位置検知手段により検出された手の位置の方向に前記制御部により前記風向変更部を動作させ、前記送風手段を動作することにより前記送出ノズル部から送出される空気を手に当てることを特徴とした手乾燥装置。
【請求項２】
風向変更部をルーバー構造部としたことを特徴とした請求項１記載の手乾燥装置。
【請求項３】
風向変更部をロール構造部としたことを特徴とした請求項１記載の手乾燥装置。
【請求項４】
風向変更部を回転構造部としたことを特徴とした請求項１記載の手乾燥装置。
【請求項５】
送出ノズル部を複数設け、前記送出ノズル部から送出される空気の風向をそれぞれに設定できることを特徴とした請求項１から４のいずれかに記載の手乾燥装置。
【請求項６】
手位置検知手段を複数の手検知手段より構成したことを特徴とした請求項１から５のいずれかに記載の手乾燥装置。
【請求項７】
手検知手段を可動とし、前記手検知手段を左右に移動して手乾燥部内を走査する手位置検知手段としたことを特徴とした請求項１から５のいずれかに記載の手乾燥装置。
【請求項８】
手検知手段の検知方向を可動とし、前記手検知手段を左右に回転して手乾燥部内を走査する手位置検知手段としたことを特徴とした請求項１から５のいずれかに記載の手乾燥装置。
【請求項９】
機械的スイッチを手検知手段としたことを特徴とした請求項６記載の手乾燥装置。
【請求項１０】
タイマーで一定時間運転することを特徴とした請求項９記載の手乾燥装置。
【請求項１１】
赤外線発光素子と赤外線受光素子を手検知手段としたことを特徴とした請求項６から８のいずれかに記載の手乾燥装置。
【請求項１２】
測距センサーを手検知手段としたことを特徴とした請求項６から８のいずれかに記載の手乾燥装置。
【請求項１３】
手挿入部の左右両端にそれぞれ設けた、２個の測距センサーからなる手位置検知手段を有することを特徴とした請求項１から５のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、直線状に並んだ多数の穴から送出される高圧空気流により、手の水滴を飛ばし、乾燥させるものが知られていた（例えば特許文献１参照）。
【０００３】
以下、その手乾燥装置について図１４を参照しながら説明する。
【０００４】
図１４に示すように、手乾燥装置１０１は本体内部に設けた電動送風機１０２と、前記電動送風機１０２に接続する送風路１０３と、前記送風路１０３に接続する直線状に並んだ多数の穴を有するノズル１０４と、前記ノズル１０４の下部に乾燥室１０５を有し、前記電動送風機１０２を動作させることにより、ノズル１０４より高圧空気を吹出し、手に付着した水滴を飛ばし、手を乾燥させるものである。
【特許文献１】特開２００６−２５９３９号公報（段落番号００１８、図３）
【発明の開示】
【発明が解決しようとする課題】
【０００５】
このような従来の手乾燥装置の方法では、手を挿入していない部分のノズルから送出される空気は手に当たらないため、乾燥に使用されず、効率的でないという課題があった。
【０００６】
本発明は、上記従来の課題を解決するもので、ノズルから送出される空気の風向を挿入された手の方向へ向けることにより、乾燥効率が良い、手乾燥装置を提供することを目的としている。
【課題を解決するための手段】
【０００７】
本発明の手乾燥装置は、上記目的を達成するために、本体内部に設けた送風手段と、前記送風手段に接続した送風路と、前記送風路に接続した送出ノズル部と、前記送出ノズル部に設けた風向変更部と、前記送出ノズル部前方に設けた手挿入部と、前記手挿入部に手が挿入された場合に手の位置を検知する手位置検知手段と、前記風向変更部を動作させる制御部を設けた構成としたものである。
【０００８】
この手段により、前記手挿入部に手が挿入された場合に、前記手位置検知手段により検出された手の位置方向に前記制御部により前記風向変更部を動作させ、前記送風手段を動作することにより前記送出ノズル部から送出される空気の風向を手に向けることにより、乾燥効率が良い手乾燥装置が得られる。
【０００９】
また、風向変更部をルーバー構造部としたものである。
【００１０】
この手段により、風向変更部を動作させ、送出ノズル部から送出される空気の風向を手に向けることができる手乾燥装置が得られる。
【００１１】
また、風向変更部をロール構造部としたものである。
【００１２】
この手段により、風向変更部を動作させ、送出ノズル部から送出される空気の風向を手に向けることができる手乾燥装置が得られる。
【００１３】
また、風向変更部を回転構造部としたものである。
【００１４】
この手段により、風向変更部を動作させ、送出ノズル部から送出される空気の風向を手に向けることができる手乾燥装置が得られる。
【００１５】
また、送出ノズル部を複数設け、前記送出ノズル部から送出される空気の風向をそれぞれに設定できる構造としたものである。
【００１６】
この手段により、両手を挿入した場合に、右手に風向を向ける送出ノズル部と、左手に風向を向ける送出ノズル部をそれぞれ設定できる手乾燥装置が得られる。
【００１７】
また、手位置検知手段を複数の手検知手段より構成したものである。
【００１８】
この手段により、手の位置が検知できる手乾燥装置が得られる。
【００１９】
また、手検知手段を可動とし、前記手検知手段を左右に移動させ、手乾燥部内を走査する手位置検知手段としたものである。
【００２０】
この手段により、手の位置が検知できる手乾燥装置が得られる。
【００２１】
また、手検知手段の検知方向を可動とし、前記手検知手段を左右に回転させることにより手乾燥部内を走査する手位置検知手段としたものである。
【００２２】
この手段により、手の位置が検知できる手乾燥装置が得られる。
【００２３】
また、機械的スイッチを手検知手段としたものである。
【００２４】
この手段により、手が検知できる手乾燥装置が得られる。
【００２５】
また、タイマーで一定時間運転する構成としたものである。
【００２６】
この手段により、手検知手段により手が検知された時に一定時間運転することができる手乾燥装置が得られる。
【００２７】
また、赤外線発光素子と赤外線受光素子を手検知手段としたものである。
【００２８】
この手段により、手が検知できる手乾燥装置が得られる。
【００２９】
また、測距センサーを手検知手段としたものである。
【００３０】
この手段により、手が検知できる手乾燥装置が得られる。
【００３１】
また、手挿入部の左右両端にそれぞれ設けた、２個の測距センサーからなる手位置検知手段としたものである。
【００３２】
この手段により、手の位置が検知できる手乾燥装置が得られる。
【発明の効果】
【００３３】
本発明によれば、本体内部に設けた送風手段と、前記送風手段に接続した送風路と、前記送風路に接続した送出ノズル部と、前記送出ノズル部に設けた風向変更部と、前記送出ノズル部前方に設けた手挿入部と、前記手挿入部に手が挿入された場合に手の位置を検知する手位置検知手段と、前記風向変更部を動作させる制御部を設けた手乾燥装置において、前記手挿入部に手が挿入された場合に、前記手位置検知手段により検出された手の位置方向に前記制御部により前記風向変更部を動作させ、前記送風手段を動作することにより前記送出ノズル部から送出される空気の風向を手に向けることにより、効率の良い乾燥を行うことができる手乾燥装置を提供できる。
【００３４】
また、風向変更部をルーバー構造部としたものであり、前記風向変更部を動作させ、送出ノズル部から送出される空気の風向を手に向けることができる手乾燥装置を提供できる。
【００３５】
また、風向変更部をロール構造部としたものであり、前記風向変更部を動作させ、送出ノズル部から送出される空気の風向を手に向けることができる手乾燥装置を提供できる。
【００３６】
また、風向変更部を回転構造部としたものであり、前記風向変更部を動作させ、送出ノズル部から送出される空気の風向を手に向けることができる手乾燥装置を提供できる。
【００３７】
また、送出ノズル部を複数設け、前記送出ノズル部から送出される空気の風向をそれぞれに設定できる構造としたものであり、両手を挿入した場合に、右手に風向を向ける送出ノズル部と、左手に風向を向ける送出ノズル部をそれぞれ設定できる手乾燥装置を提供できる。
【００３８】
また、手位置検知手段を複数の手検知手段より構成したものであり、手の位置が検知できる手乾燥装置を提供できる。
【００３９】
また、手検知手段を可動とし、前記手検知手段を左右に移動することにより、手乾燥部内を走査する手位置検知手段としたものであり、手の位置が検知できる手乾燥装置を提供できる。
【００４０】
また、手検知手段の検知方向を可動とし、前記手検知手段を左右に回転させることにより、手乾燥部内を走査する手位置検知手段としたものであり、手の位置が検知できる手乾燥装置を提供できる。
【００４１】
また、機械的スイッチを手検知手段としたものであり、手を検知できる手乾燥装置を提供できる。
【００４２】
また、タイマーで一定時間運転する構成としたものであり、手検知手段により手が検知された時に一定時間運転することができる手乾燥装置を提供できる。
【００４３】
また、赤外線発光素子と赤外線受光素子を手検知手段としたものであり、手を検知できる手乾燥装置を提供できる。
【００４４】
また、測距センサーを手検知手段としたものであり、手を検知できる手乾燥装置を提供できる。
【００４５】
また、手挿入部の左右両端にそれぞれ設けた、２個の測距センサーからなる手位置検知手段としたものであり、手の位置が検知できる手乾燥装置を提供できる。
【発明を実施するための最良の形態】
【００４６】
本発明の請求項１記載の発明は、本体内部に設けた送風手段と、前記送風手段に接続した送風路と、前記送風路に接続した送出ノズル部と、前記送出ノズル部に設けた風向変更部と、前記送出ノズル部前方に設けた手挿入部と、前記手挿入部に手が挿入された場合に手の位置を検知する手位置検知手段と、前記風向変更部を動作させる制御部を設けた手乾燥装置において、前記手挿入部に手が挿入された場合に、前記手位置検知手段により検出された手の位置方向に前記制御部により前記風向変更部を動作させ、前記送風手段を動作することにより前記送出ノズル部から送出される空気の風向を手に向けることにより、効率の良い乾燥を行うことができる作用を有する。
【００４７】
また、風向変更部をルーバー構造部としたものであり、前記風向変更部を動作させ、送出ノズル部から送出される空気の風向を手に向けることができる作用を有する。
【００４８】
また、風向変更部をロール構造部としたものであり、前記風向変更部を動作させ、送出ノズル部から送出される空気の風向を手に向けることができる作用を有する。
【００４９】
また、風向変更部を回転構造部としたものであり、前記風向変更部を動作させ、送出ノズル部から送出される空気の風向を手に向けることができる作用を有する。
【００５０】
また、送出ノズル部を複数設け、前記送出ノズル部から送出される空気の風向をそれぞれに設定できる構造としたものであり、両手を挿入した場合に、右手に風向を向ける送出ノズル部と、左手に風向を向ける送出ノズル部をそれぞれ設定できる作用を有する。
【００５１】
また、手位置検知手段を複数の手検知手段より構成したものであり、手の位置が検知できる作用を有する。
【００５２】
また、手検知手段を可動とし、前記手検知手段を左右に移動することにより、手乾燥部内を走査する手位置検知手段としたものであり、手の位置が検知できる作用を有する。
【００５３】
また、手検知手段の検知方向を可動とし、前記手検知手段を左右に回転させることにより、手乾燥部内を走査する手位置検知手段としたものであり、手の位置が検知できる作用を有する。
【００５４】
また、機械的スイッチを手検知手段としたものであり、手を検知できる作用を有する。
【００５５】
また、タイマーで一定時間運転する構成としたものであり、手検知手段により手が検知された時に一定時間運転することができる作用を有する。
【００５６】
また、赤外線発光素子と赤外線受光素子を手検知手段としたものであり、手を検知できる作用を有する。
【００５７】
また、測距センサーを手検知手段としたものであり、手を検知できる作用を有する。
【００５８】
また、手挿入部の左右両端にそれぞれ設けた、２個の測距センサーからなる手位置検知手段としたものであり、手の位置が検知できる作用を有する。
【００５９】
（実施の形態１）
図１に示すように、手乾燥装置１は本体内部に設けた送風手段２、たとえばファンモーターと、前記送風手段２に接続した送風路３と、前記送風路３に接続した送出ノズル部４と、前記送出ノズル部４に設けた風向変更部５、たとえば蛇腹形状をしたノズルと、前記送出ノズル部４の前方に設けた手挿入部６と、前記手挿入部６に手が挿入された場合に手の位置を検知する手位置検知手段７、たとえば光学式エリアセンサーと、前記風向変更部５を動作させる制御部８により構成される。風向変更部５は、たとえば蛇腹形状をしたノズルなどであり、手位置検知手段７は、たとえば光学式エリアセンサーなどである。
【００６０】
上記構成において、手挿入部６に手が挿入された場合に、手位置検知手段７により検出された手の位置方向に制御部８により風向変更部５を動作させ、送風手段２を動作することにより送出ノズル部４から送出される空気の風向を手に向けることにより、効率的に手を乾燥でき、効率の良い乾燥を行うことができる。
【００６１】
なお、本実施の形態１では、送出ノズル部４が１列の手乾燥装置としているが、送出ノズル部４を複数列設け、手の両面より空気の送出を行う手乾燥装置においても同様の作用効果をもたらすことは言うまでもない。
【００６２】
（実施の形態２）
次に、本発明の実施の形態２について図面を参照しながら説明する。なお、実施の形態１と同一のものは同一番号を付し、その詳細な説明を省略する。図２に示すように、手乾燥装置１は風向変更部５をルーバー構造部９としたものである。
【００６３】
上記構成において、ルーバー構造部９を動作させることにより、風向を左右に変えることができ、送出ノズル部４から送出される空気の風向を手に向けることができる。効率的に手を乾燥でき、乾燥効率が良い、手乾燥装置が提供できることとなる。
【００６４】
（実施の形態３）
次に、本発明の実施の形態３について図面を参照しながら説明する。なお、実施の形態１、２と同一のものは同一番号を付し、その詳細な説明を省略する。
【００６５】
図３に示すように、手乾燥装置１は風向変更部５をロール構造部１０としたものであり、ロール構造部１０は、たとえば材質はポリエチレンシートで、モーターで巻き上げる構造としたものである。
【００６６】
上記構成において、ロール構造部１０を動作させることにより、風向を左右に変えることができ、送出ノズル部４から送出される空気の風向を手に向けることができる。効率的に手を乾燥でき、乾燥効率が良い、手乾燥装置が提供できることとなる。
【００６７】
（実施の形態４）
次に、本発明の実施の形態４について図面を参照しながら説明する。なお、実施の形態１、２、３と同一のものは同一番号を付し、その詳細な説明を省略する。
【００６８】
図４に示すように、手乾燥装置１は風向変更部５を回転構造部１１としたものであり、回転構造部１１は、たとえば円柱形状で空気を送出する穴があり、モーターで回転する構造としたものである。
【００６９】
上記構成において、回転構造部１１を動作させることにより、風向を左右に変えることができ、送出ノズル部４から送出される空気の風向を手に向けることができる。効率的に手を乾燥でき、乾燥効率が良い、手乾燥装置が提供できることとなる。
【００７０】
（実施の形態５）
次に、本発明の実施の形態５について図面を参照しながら説明する。なお、実施の形態１、２、３、４と同一のものは同一番号を付し、その詳細な説明を省略する。
【００７１】
図５に示すように、手乾燥装置１は送出ノズル部が複数個より構成される。
【００７２】
上記構成において、送出ノズル部４は複数個あり、送出される空気の風向をそれぞれに設定でき、両手を挿入した場合に、右手に風向を向ける送出ノズル部４と、左手に風向を向ける送出ノズル部４を設定することができる。効率的に手を乾燥でき、乾燥効率が良い、手乾燥装置が提供できることとなる。
【００７３】
（実施の形態６）
次に、本発明の実施の形態６について図面を参照しながら説明する。なお、実施の形態１、２、３、４、５と同一のものは同一番号を付し、その詳細な説明を省略する。
【００７４】
図６に示すように、手乾燥装置１は手位置検知手段７が複数の手検知手段１２により構成される。
【００７５】
上記構成において、手を挿入した位置にある手検知手段１２のみが手を検知するので、手の位置を知ることができる。したがって、その検知した手の位置に応じた送出ノズル部４を動作させるることができるので、動作した送出ノズル部４から噴出、送風する空気を全て手に当てることができ、効率的に手を乾燥でき、乾燥効率が良い、手乾燥装置が提供できることとなる。
【００７６】
（実施の形態７）
次に、本発明の実施の形態７について図面を参照しながら説明する。なお、実施の形態１、２、３、４、５、６と同一のものは同一番号を付し、その詳細な説明を省略する。
【００７７】
図７に示すように、手乾燥装置１は手位置検知手段７を備え、手位置検知手段７は、左右に移動可能な手検知手段１２より構成される。手位置検知手段７は、たとえばモーター駆動式ベルトコンベア構造にて、左右に移動可能な手検知手段１２より構成される。
【００７８】
上記構成において、手検知手段１２が左右に移動することにより、手挿入部６の内部を走査し、手の位置を知ることができる。したがって、その検知した手の位置に応じた送出ノズル部４を動作させるることができるので、動作した送出ノズル部４から噴出、送風するする空気を全て手に当てることができ、効率的に手を乾燥でき、乾燥効率が良い、手乾燥装置が提供できることとなる。
【００７９】
（実施の形態８）
次に、本発明の実施の形態８について図面を参照しながら説明する。なお、実施の形態１、２、３、４、５、６、７と同一のものは同一番号を付し、その詳細な説明を省略する。
【００８０】
図８に示すように、手乾燥装置１は手位置検知手段７を備え、手位置検知手段７は、たとえばモーターにより回転させることにより検知方向を左右に回転可能な手検知手段１２により構成される。
【００８１】
上記構成において、手検知手段１２が左右に回転することにより、手挿入部６の内部を走査し、手の位置を知ることができる。したがって、その検知した手の位置に応じた送出ノズル部４を動作させるることができるので、動作した送出ノズル部４から噴出、送風するする空気を全て手に当てることができ、効率的に手を乾燥でき、乾燥効率が良い、手乾燥装置が提供できることとなる。
【００８２】
（実施の形態９）
次に、本発明の実施の形態９について図面を参照しながら説明する。なお、実施の形態１、２、３、４、５、６、７、８と同一のものは同一番号を付し、その詳細な説明を省略する。
【００８３】
図９に示すように、手乾燥装置１は機械的スイッチ１３を手検知手段１２としたものである。機械的スイッチ１３としては、たとえば押しボタンスイッチなどがある。
【００８４】
上記構成において、機械的スイッチ１３としての押しボタンスイッチが押された場合、機械的スイッチ１３からの信号が制御部８に入力され、前記制御部８は前記機械的スイッチ１３の位置に手があると判断し、送出ノズル部４の風向変更部５を手のある方向へ向けさせることができ、効率的に手を乾燥でき、乾燥効率が良い、手乾燥装置が提供できることとなる。
【００８５】
（実施の形態１０）
次に、本発明の実施の形態１０について図面を参照しながら説明する。なお、実施の形態１、２、３、４、５、６、７、８、９と同一のものは同一番号を付し、その詳細な説明を省略する。
【００８６】
図１０に示すように、手乾燥装置１は機械的スイッチ１３を手検知手段１２としたものであり、機械的スイッチ１３の入力により、送風手段２の運転を一定時間、たとえば１０秒間行うタイマー部１４より構成される。
【００８７】
上記構成において、機械的スイッチ１３が押され場合、機械的スイッチ１３からの信号がタイマー部１４に入力され、前記タイマー部１４が一定の時間の間、送風手段２を運転させることにより、空気を一定時間の間、送出させることができ、効率的に手を乾燥でき、乾燥効率が良い、手乾燥装置が提供できることとなる。
【００８８】
（実施の形態１１）
次に、本発明の実施の形態１１について図面を参照しながら説明する。なお、実施の形態１、２、３、４、５、６、７、８、９、１０と同一のものは同一番号を付し、その詳細な説明を省略する。
【００８９】
図１１に示すように、手乾燥装置１は赤外線を照射する赤外線発光素子１５と、前記赤外線発光素子１５から照射される赤外線を受光する赤外線受光素子１６の組合せを、手検知手段１２としたものである。
【００９０】
上記構成において、赤外線発光素子１５から赤外線受光素子１６へ照射される赤外線が、手の挿入により遮断された場合に、手があると検知することができ、効率的に手を乾燥でき、乾燥効率が良い、手乾燥装置が提供できることとなる。
【００９１】
なお、本実施の形態１１では、赤外線発光素子１５と赤外線受光素子１６は対向する位置とし、赤外線発光素子１５から赤外線受光素子１６への透過式としたが、赤外線発光素子１５と赤外線受光素子１６を同面上の位置とし、赤外線発光素子１５から照射された赤外線が手に反射し、赤外線受光素子１６に入力される反射式においても同様の作用効果をもたらすことは言うまでもない。
【００９２】
（実施の形態１２）
次に、本発明の実施の形態１０について図面を参照しながら説明する。なお、実施の形態１、２、３、４、５、６、７、８、９、１０、１１と同一のものは同一番号を付し、その詳細な説明を省略する。
【００９３】
図１２に示すように、手乾燥装置１は対象物への距離を測定する測距センサー１７、たとえば半導体位置検出素子を使用したものを手検知手段１２としたものである。
【００９４】
上記構成において、手が挿入され測距センサー１７が測定した手への距離が設定値以内、たとえば１０ｍｍから５０ｍｍの場合に手があると検知することができ、効率的に手を乾燥でき、乾燥効率が良い、手乾燥装置が提供できることとなる。
【００９５】
（実施の形態１３）
次に、本発明の実施の形態１３について図面を参照しながら説明する。なお、実施の形態１、２、３、４、５、６、７、８、９、１０、１１、１２と同一のものは同一番号を付し、その詳細な説明を省略する。
【００９６】
図１３に示すように、手乾燥装置１は手挿入部６の左右両端にそれぞれ設けた、２個の対象物への距離を測定する測距センサー１７を手位置検知手段７としたものである。
【００９７】
上記構成において、両手を挿入した場合に、左端の測距センサー１７は左手への距離を測定し、右端の測距センサー１７は右手への距離を測定し、両手の位置を知ることができる。よって、効率的に手を乾燥でき、乾燥効率が良い、手乾燥装置が提供できることとなる。
【産業上の利用可能性】
【００９８】
効率のよい乾燥ができることにより、水洗いした後の送風による乾燥手法において、効率のよい乾燥を行うことができる。
【図面の簡単な説明】
【００９９】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４の手乾燥装置の構成を示す概略図
【図５】本発明の実施の形態５の手乾燥装置の構成を示す概略図
【図６】本発明の実施の形態６の手乾燥装置の構成を示す概略図
【図７】本発明の実施の形態７の手乾燥装置の構成を示す概略図
【図８】本発明の実施の形態８の手乾燥装置の構成を示す概略図
【図９】本発明の実施の形態９の手乾燥装置の構成を示す概略図
【図１０】本発明の実施の形態１０の手乾燥装置の構成を示す概略図
【図１１】本発明の実施の形態１１の手乾燥装置の構成を示す概略図
【図１２】本発明の実施の形態１２の手乾燥装置の構成を示す概略図
【図１３】本発明の実施の形態１３の手乾燥装置の構成を示す概略図
【図１４】従来の手乾燥装置の構成を示す概略図
【符号の説明】
【０１００】
１      手乾燥装置
２      送風手段
３      送風路
４      送出ノズル部
５      風向変更部
６      手挿入部
７      手位置検知手段
８      制御部
９      ルーバー構造部
１０    ロール構造部
１１    回転構造部
１２    手検知手段
１３    機械的スイッチ
１４    タイマー部
１５    赤外線発光素子
１６    赤外線受光素子
１７    測距センサー
１０１  手乾燥装置
１０２  電動送風機
１０３  送風路
１０４  ノズル
１０５  乾燥室
【図１】
2008113925.tif 000003
【図２】
2008113925.tif 000004
【図３】
2008113925.tif 000005
【図４】
2008113925.tif 000006
【図５】
2008113925.tif 000007
【図６】
2008113925.tif 000008
【図７】
2008113925.tif 000009
【図８】
2008113925.tif 000010
【図９】
2008113925.tif 000011
【図１０】
2008113925.tif 000012
【図１１】
2008113925.tif 000013
【図１２】
2008113925.tif 000014
【図１３】
2008113925.tif 000015
【図１４】
2008113925.tif 000016